(57)【要約】【課題】プロジェクタ型前照灯と車幅灯とを一体的に構成しつつ、車幅灯の光を視認可能な領域を拡大可能なプロジェクタ型前照灯を提供する。【解決手段】バルブ６から発せられた光を楕円面リフレクタ４で反射し、楕円面リフレクタ４の前方に設けられた凸レンズ８を介して前方に投射可能な車両用照明装置において、楕円面リフレクタ４の周囲にバルブ１６を配置し、楕円面リフレクタ４の周囲にバルブ１６から発せられる光を反射する反射面１８を設け、楕円面リフレクタ４と凸レンズ８との間にバルブ１６から発せられた光を通過させる通路２５を設けたことを特徴とする。【選択図】図３
2008218145.tif 000002
【特許請求の範囲】
【請求項１】
前照灯用光源から発せられた光を前照灯用反射鏡で反射し、前記前照灯用反射鏡の前方に設けられた凸レンズを介して前方に投射可能な車両用照明装置において、
前記前照灯用反射鏡の周囲に車幅灯用光源を設け、
前記前照灯用反射鏡の周囲に前記車幅灯光源から発せられる光を反射する車幅灯用反射鏡を設け、前記前照灯用反射鏡と前記凸レンズとの間に前記車幅灯用光源から発せられた光を通過させる通路を設けたことを特徴とする車両用照明装置。
【請求項２】
前記車幅灯用反射鏡の反射方向にレンズカットを施したインナレンズを設けたことを特徴とする請求項１に記載の車両用照明装置。
【発明の詳細な説明】
【技術分野】
【０００１】
この発明は、車両用照明装置に関するものである。
【背景技術】
【０００２】
従来から、車両用照明装置としていわゆるプロジェクタ型前照灯が知られている。このプロジェクタ型前照灯は、楕円面反射鏡と凸レンズとを備えており、光源であるバルブを楕円面反射鏡近傍の第１焦点付近に配置し、一方、凸レンズを楕円面反射鏡から離間した側の第２焦点付近に配置することでバルブから発せられた光を楕円面反射鏡と凸レンズとを介して効率よく前方に投射するものである。
この種のプロジェクタ型前照灯を用いた場合、前照灯を小型化できるものの、車幅灯を個別に設ける必要があるため、前照灯周辺のデザイン自由度が低下してしまう場合があった。そこで近年、プロジェクタ型前照灯の凸レンズとバルブとの間に不要な光をマスキングするマスク部材を設け、このマスク部材前方の不要光カット領域に車幅灯用バルブを設置して、プロジェクタ型前照灯と車幅灯とを一体的に構成するものが提案されている（例えば、特許文献１参照）。
さらに、プロジェクタ型前照灯と車幅灯とを一体的に構成する車両用照明装置として、車幅灯用バルブを前照灯用のバルブの光の通過領域を除く領域に配置するものが提案されている（例えば、特許文献２参照）。
【特許文献１】実開平６−２８９０９号公報
【特許文献２】特開平４−４３５０１号公報
【発明の開示】
【発明が解決しようとする課題】
【０００３】
ところで、上述したプロジェクタ型前照灯は、前照灯の光を遮ることなしに車幅灯を配置することができるものの、車幅灯から発せられた光を視認可能な領域は凸レンズの部分のみであるため、車幅灯として視認可能な領域が非常に狭くなってしまうという課題がある。
【０００４】
そこで、この発明は、プロジェクタ型の前照灯と車幅灯とを一体的に構成しつつ、車幅灯の光を視認可能な領域を拡大可能な車両用照明装置を提供するものである。
【課題を解決するための手段】
【０００５】
上記の課題を解決するために、請求項１に記載した発明は、前照灯用光源（例えば、実施の形態におけるバルブ６）から発せられた光を前照灯用反射鏡（例えば、実施の形態における楕円面リフレクタ４）で反射し、前記前照灯用反射鏡の前方に設けられた凸レンズ（例えば、実施の形態における凸レンズ８）を介して前方に投射可能な車両用照明装置において、前記前照灯用反射鏡の周囲に車幅灯用光源（例えば、実施の形態におけるバルブ１６）を設け、前記前照灯用反射鏡の周囲に前記車幅灯光源から発せられる光を反射する車幅灯用反射鏡（例えば、実施の形態における反射面１８）を設け、前記前照灯用反射鏡と前記凸レンズとの間に前記車幅灯用光源から発せられた光を通過させる通路（例えば、実施の形態における通路２５）を設けたことを特徴とする。
【０００６】
請求項２に記載した発明は、前記車幅灯用反射鏡の反射方向にレンズカットを施したインナレンズ（例えば、実施の形態におけるカバーレンズ３）を設けたことを特徴とする。
【発明の効果】
【０００７】
請求項１に記載した発明によれば、前照灯用光源から発せられた光が、前照灯用反射鏡で反射して凸レンズに入射可能であるとともに、車幅灯用光源から放射された光のうち一部の光が前照灯用反射鏡と凸レンズとの間の通路を通って前照灯用反射鏡の周囲に設けられた車幅灯用反射鏡に反射されて前方に向かうため、車幅灯用光源から放射された光が遮られることなく、車幅灯用反射鏡の略全面で反射させることができるため、凸レンズを用いたいわゆるプロジェクタ型の前照灯と車幅灯とを一体的に構成しつつ車幅灯用の光を視認可能な領域を拡大することができる効果がある。
【０００８】
請求項２に記載した発明によれば、車幅灯用反射鏡の反射方向にインナレンズを設け、このインナレンズにレンズカットを施すことで、車幅灯用反射鏡で反射した光がインナレンズの内面に照射されるため、レンズカットの形状に応じた模様を前照灯用反射鏡すなわち凸レンズの周囲に浮かび上がらせることができ、したがって、前照灯周辺のデザインの自由度を向上させることができる効果がある。
【発明を実施するための最良の形態】
【０００９】
次に、この発明の実施の形態を図面に基づいて説明する。
図１において、符号１はこの発明の実施の形態のヘッドライトユニットを示している。このヘッドライトユニット１は、車両の前照灯として車両の前部に左右一対で設けられるものであり、ユニット本体２とカバーレンズ３とを備えている。なお、ヘッドライトユニット１は左右対称な形状であるため、この実施の形態では、車両正面から見て右側に配置されるものについてのみ説明する。また、図示都合上省略しているが、この実施の形態のヘッドライトユニット１には、ヘッドライトユニット１の前面を覆う透明なアウターレンズが設けられるようになっている。
【００１０】
図２，３に示すように、ユニット本体２は、前方に向けて開口した楕円面リフレクタ４を備えている。この楕円面リフレクタ４は、いわゆる楕円面を備えた凹面鏡でありその横断面が略半楕円形状に形成されたものである。この楕円面リフレクタ４には、楕円の頂部に相当する底部にアクセスホール５が形成されており、このアクセスホール５に前照灯用のバルブ６のソケット７が嵌合して固定されるようになっている。また、アクセスホール５の前方には、楕円面リフレクタ４の第１焦点ｆ１が設定されており、この第１焦点ｆ１上またはその近傍に、上述したソケット７に挿入された前照灯用のバルブ６が配置されるようになっている。なお、図３中、前後方向を矢印で示す。
【００１１】
一方、楕円面リフレクタ４の頂点Ｐと第１焦点ｆ１とを結ぶ直線上には、第１焦点ｆ１で放射された光が楕円面リフレクタ４で反射して集光される第２焦点ｆ２が設定されている。この第２焦点ｆ２の前方には、前方に向かって凸形状となる凸レンズ８が設けられ、この凸レンズ８の頂点ＰＰが上記直線上に配置されている。この凸レンズ８は、リング状の枠部９にその周縁が支持固定されている。また、枠部９は、その上下両端から延びる延出部１０を介して楕円面リフレクタ４の開口部周縁に支持されている。ここで、延出部１０は、凸レンズ８を支持可能な範囲で限りなく細く形成されるのが好ましい。
【００１２】
一方、ユニット本体２は、正面視略楕円形の有底筒状に形成されたハウジング１１を備えている。このハウジング１１の周壁１２の高さは、車幅方向内側から外側に向かって低くなるように形成されている。つまり、ハウジング１１の開口部１３は、車幅方向内側から外側後方に向かって斜めに形成されている。また、ハウジング１１の底壁１４には、前述した楕円面リフレクタ４の開口部１５が設けられ、この開口部１５の車幅方向内側に車幅灯用のバルブ１６が配置されている。より具体的には、車幅灯用のバルブ１６は、ソケット１７に挿入され、このソケット１７が底壁１４に凹設されたソケット保持部１７ａに収容されていることで、バルブ１６のみがハウジング１１内に露出している。また、この車幅灯用のバルブ１６は、その前部が若干凸レンズ側に向いて斜めに取り付けられている。
【００１３】
ハウジング１１の底壁１４には、車幅灯用のバルブ１６から放射された光を反射する複数の反射面１８が形成されている。これら反射面１８は、上下方向に沿って形成された細長い面で構成されており、バルブ１６から放射された光をハウジング１１の周壁１２に沿う方向すなわち前方に向かって反射するようにそれぞれ異なる角度に設定されている。つまり、反射面１８の焦点ｆ３に車幅灯用のバルブ１６が配置されていることとなる。そして、複数の反射面１８のそれぞれの間には、これらを接続する中間部１９が形成されており、底壁１４はこれら反射面１８と中間部１９とによって凹凸状になっている。
【００１４】
ここで、前述した凸レンズ８が枠部９の上下端部から延出する延出部１０によって支持されているため、凸レンズ８と楕円面リフレクタ４の開口部との間には、バルブ１６から放射される光が車幅方向外側に向かって通過可能な通路２５が形成されることとなる。なお、上記通路２５は光が通過可能な通路２５であればよく、バルブ１６から放射される光に影響がなければ、例えば、凸レンズ８と楕円面リフレクタ４の開口部との間の通路２５に光を透過する透明な部材を介装して凸レンズ８を支持する構成にしてもよい。
【００１５】
一方、図１に示すように、カバーレンズ３は、ハウジング１１の開口部１３を閉塞するものであり、前方から後方に向かって凹状となる曲面で形成され、その最も後方の位置に凸レンズ８を貫通するための孔２０が形成されている。そして、このカバーレンズ３の内面には部分的に透過率や屈折率を変化させるレンズカットが施されている。具体的には、孔２０を中心にして細い帯状の透過率の高い部分２１を放射状に配置し、それ以外の部分を透過率が低くなるように内面をブラスト処理などで曇らせている。なお、上述したレンズカットのデザインは一例であって、上記放射状のものに限られるものではない。
【００１６】
すなわち、図３に示すように、楕円面リフレクタ４の車幅方向内側に配置されたバルブ１６から放射される光（図中一点鎖線で示す。）は、凸レンズ８と楕円面リフレクタ４との間の通路２５を通ることで、車幅方向内側の延出部１０にかかる部分を除いて、ハウジング１１の底壁１４に形成された反射面１８の全域に到達することとなる。そして、凸レンズ８の周囲に形成された全ての反射面１８に到達した光は、反射面１８によって反射し、この反射光がカバーレンズ３の内面に投射されることとなる。つまり、図５に示すように、車幅灯用のバルブ１６（図２参照）を点灯させることでカバーレンズ３にレンズカットの模様が浮かび上がるとともに、凸レンズ８の周囲がカバーレンズ３を透過した光によってリング状に発光することとなる。なお、図５のヘッドライトユニット１において暗い部分ほど黒色で示している（図４，６も同様）。
【００１７】
一方、図６に示すように、前照灯用のバルブ６（図２参照）を点灯させると、バルブ６から発せられた光は、楕円面リフレクタ４に反射して凸レンズ８に入射して屈折された後に前方に投射される。このとき、凸レンズ８に入射しない光は空間２５（図２参照）から周囲に漏れてカバーレンズ３の内面に投射されるため、凸レンズ８の周囲も明るくなっている。なお、図４は、上記図５，６と比較するための消灯状態を示している。
【００１８】
したがって、上述の実施の形態によれば、第１焦点ｆ１に設けられた前照灯用のバルブ６から発せられた光が、楕円面リフレクタ４で反射して第２焦点ｆ２を通って凸レンズ８に入射可能であるとともに、車幅灯用のバルブ１６から放射された光のうち一部の光が楕円面リフレクタ４と凸レンズ８との間の通路を通って楕円面リフレクタ４の周囲に設けられた車幅灯用の反射面１８に反射して前方に投射させることができるため、車幅灯用のバルブ１６から放射された光が遮られることなく、楕円面リフレクタ４の周囲に設けられた車幅灯用の反射面１８の略全面に反射させることができるため、車幅灯用のバルブ１６から放射される光の視認可能な領域を拡大することができる。
【００１９】
また、車幅灯用の反射面１８の反射方向にカバーレンズ３を設け、このカバーレンズ３にレンズカットを施すことで、車幅灯用の反射面１８で反射した光がカバーレンズの内面に照射されるため、レンズカットの形状に応じた模様を凸レンズ８の周囲に浮かび上がらせることができる。したがって、ヘッドライトユニット１のデザイン自由度を向上させることができる。
【００２０】
なお、この発明は上述した実施の形態に限られるものではなく、バルブ６は第１焦点ｆ１の近傍に設けてもよい。
また、上記実施の形態では底壁１４が凹凸状の場合について説明したが、例えばバルブ１６を基準とする放射面としてもよい。
さらに、上述した実施の形態では、バルブ１６を車幅方向内側に配置した場合について説明したが、これに限られるものではなく、ハウジング１１内であればどこでもよい。
【００２１】
そして、ハウジング１１の開口部１３の形状が、正面視略楕円形の場合について説明したが、凸レンズ８を囲うものであればこれに限られるものではない。
【図面の簡単な説明】
【００２２】
【図１】本発明の実施の形態におけるヘッドライトユニットの斜視図である。
【図２】本発明の実施の形態におけるユニット本体の正面図である。
【図３】本発明の実施の形態における図２のＡ−Ａ線に沿う断面図である。
【図４】本発明の実施の形態におけるヘッドライトユニット消灯時の正面図である。
【図５】本発明の実施の形態におけるヘッドライトユニットの車幅灯点灯時の正面図である。
【図６】本発明の実施の形態におけるヘッドライトユニットの前照灯点灯時の正面図である。
【符号の説明】
【００２３】
４  楕円面リフレクタ（前照灯用反射鏡）
６  バルブ（前照灯用光源）
８  凸レンズ
１６  バルブ（車幅灯用光源）
１８  反射面（車幅灯用反射鏡）
２５  通路
【図１】
2008218145.tif 000003
【図２】
2008218145.tif 000004
【図３】
2008218145.tif 000005
【図４】
2008218145.tif 000006
【図５】
2008218145.tif 000007
【図６】
2008218145.tif 000008